(57)【特許請求の範囲】
【請求項１】
ボビンと、該ボビンに捲回されたコイルと、ステータと、外函と、前記コイルのリード線引出し部とを備えるとともに、前記ボビン、コイル、ステータ、外函及びリード線引出し部をインサートとしてそれらの外周をモールド材により液密状に封止成形されたコイル本体部を備え、該コイル本体部が、その上方部及び側面部全体をカップ状に形成され軟質合成樹脂製のカバーで覆われ、前記リード線引出し部を含む下面が軟質合成樹脂材で封止されている電動弁用コイルにおいて、前記軟質合成樹脂材で形成されている封止部に電動弁本体の挿入用開口が形成され、該開口から前記電動弁本体が前記コイル本体部に挿入されて電動弁が組立てられた時、該電動弁本体の外周部が前記電動弁本体の挿入用開口の内周面に密接して前記ステータ及び外函を外部と密閉するよう構成されており、前記外函に、前記電動弁本体に突設されたストッパーピンに係合するブラケットが取付けられ、該ブラケットが前記コイル本体部の下面の前記軟質合成樹脂材による封止時にインサートされて該ブラケットの固定が行われるように構成されていることを特徴とする電動弁用防水コイル。
【発明の詳細な説明】
【０００１】
【発明の属する技術分野】
本発明は、電動弁用防水コイルに関し、特にリード線引出し部を含む全体を合成樹脂材で被覆して完全防水化を可能にした電動弁用防水コイルに関する。
【０００２】
【従来の技術】
一般に、冷凍サイクルを用いた冷凍・冷蔵及び冷房装置などでは、その冷媒流量制御に電動式回転制御弁が用いられている。
【０００３】
この場合、電動式回転制御弁は、高湿度低温の環境に配設されることが多く、したがって、電動式回転制御弁の駆動源としての電磁コイルには、防水処置が施されて電気的性能の低下を抑制する手段がとられている。
【０００４】
このような電動弁用防水コイルとして、図６に示すようなものが従来知られている。図６において、電動式コントロ−ルバルブの駆動源としてのステッピングモ−タのコイル本体部１０は、上側コイル２ａを捲回した上側ボビン１ａを備え上側ボビン１ａの外側は上側外函５ａで覆われている。上側外函５ａは下向き開口を有する「コ」字状断面で全体形状がド−ナツ形のメッキ鋼板製であり、その内周面に櫛歯状の磁極２１ｄが形成されている。
【０００５】
上側コイルの下方には、下側コイル２ｂを捲回した下側ボビン１ｂが形成されている。この下側ボビン２ｂの外側は下側外函５ｂで覆われている。下側外函
５ｂは、上向き開口を有する「コ」字状断面で全体形状がド−ナツ形のメッキ鋼板製であり、その内周面に櫛歯状の磁極２１ｅが形成されている。
【０００６】
上側コイル部と下側コイル部との間に、上向きの櫛歯部２２ａと下向きの櫛歯部２２ｂとを備えたステータ４を挟んで互いに対称配設され、これらの外側はモールド材（硬質合成樹脂製）でモールド３されている。
【０００７】
また、グロメット６及びボビン１ａ，１ｂは、いずれも前記モールド材３と同様の硬質合成樹脂製であって、それらの端部に、符号「Ａ」、「Ｂ」で示すように、鋭角凸部が形成されている。符号２３は電動弁本体の挿入用開口を示している。
【０００８】
前記構成のコイル本体部１０において、コイル２ａ，２ｂが捲回されたボビン１ａ，１ｂは硬質の合成樹脂で封止され、コネクタ７を含むリード線引出し部１３は軟質合成樹脂で封止されて防水構造となっている。
【０００９】
なお、図６中の符号８は保護チューブ、９はリード線、１１はホルダ−、１２はカバーをそれぞれ示している。
【００１０】
また、鋭角凸部Ａ，Ｂは合成樹脂被覆時（モールド時）、これらの部分が溶融してモールド材（樹脂材）と一体化し耐衝撃性、水分浸入性に優れた完全な密封モールド構造が得られる。
【００１１】
【発明が解決しようとする課題】
ところで、従来のものでは、コイル本体部が硬質の合成樹脂で封止され、リード線引出し部が軟質合成樹脂で封止されているが、外函（メッキ鋼板製ステータ部）は性能上露出しているため、悪環境のもとでは腐食するおそれがある。
この不都合を解消する１手段として、ゴム製のカバーを後から被せることが考えられるが、リード線引出し部などがあって全体形状が複雑なため、完全密封構造にするのは、極めて困難である。そのほか、硬質合成樹脂製のカバーで被覆することも考えられるが、この場合電動弁とコイルとの脱着が容易でなく、さらに外函及びステータをステンレスで構成すると耐腐食性に優れるものの磁気性能が低下する等の不都合がある。
【００１２】
本発明は、前記のような電動弁用防水コイルにおける前記の不都合を解消するもので、本発明は、前記電動弁用防水コイルにおいて、腐食する可能性のある部材を密封して外気に接触せず水分を浸入させないようにした電動弁用防水コイルを提供するものである。
【００１３】
【課題を解決するための手段】
本発明は、電動弁用コイルにおいて、ボビンと、該ボビンに捲回されたコイルと、ステータと、外函と、前記コイルのリード線引出し部とを備えるとともに、前記ボビン、コイル、ステータ、外函及びリード線引出し部をインサートとしてそれらの外周をモールド材により液密状に封止成形されたコイル本体部を備え、該コイル本体部が、その上方部及び側面部全体をカップ状に形成され軟質合成樹脂製のカバーで覆われることにより、電動弁本体との着脱の容易化を量り、更に前記リード線引出し部を含む下面が軟質合成樹脂材で封止され、その封止部に電動弁本体の挿入用開口を形成し、該開口から前記電動弁本体を前記コイル本体部に挿入して電動弁を組立てた時、該電動弁本体の外周部が前記電動弁本体の挿入用開口の内周面に密接して前記ステータを外部と密閉するように構成して、電動弁の組立て後、コイル本体部の内部を外気に対し密閉し、コイル本体部の内部に水が浸入したり外気と呼吸したりすることをなくし、水分によるコイルの断線や外函、ステータの腐食等を抑制して、ケ−スが結露、結氷する状態下でも長期間の使用に耐える電動弁用防水コイルを得ることができるようにして課題解決の手段としている。
【００１４】
【発明の実施の形態】
以下、図１乃至図５により本発明の実施の形態について説明する。なお、図１乃至図５において、図６と同一部材には同一符号を付し説明を省略することがある。
【００１５】
この実施形態の電動弁用防水コイルも、図１に示すように、上側コイル２ａと下側コイル２ｂとは、両者間に上向きの櫛歯部（図示せず）と下向きの櫛歯部（図示せず）とこれらの間の中間の櫛歯部（図示せず）とを備えたステータ４を挟んで、互いに対称配設され、これらの外側はモールド材（熱可塑性樹脂の硬質合成樹脂）でモールド（封止成形）３されており、また外函５及びステータ４はメッキ鋼板製でステッピングモ−タのステータを構成している。なお、この構成は前記の図６のものと同一である。
【００１６】
コネクタ７を内在するグロメット６及びリード線９の線引出し部１３を含むコイル本体部１０の下面は、例えばウレタン樹脂等の軟質合成樹脂で封止される構成となっている。軟質合成樹脂材で形成されている封止部３１に、電動弁本体５０（図５参照）の挿入用開口２３が形成されている。
【００１７】
外函５の下面に、コイル本体部１０を電動弁本体５０に取り付けた時、コイル本体部１０と電動弁本体５０とを結合するブラケット３３やブラケット３２（後述）も、それらの基端部（上端部）がコイル本体部１０の下面を軟質合成樹脂で封止する時、同時に軟質合成樹脂３１で形成されている封止部３１で封止される。
【００１８】
すなわち、外函５の下面に、電動弁本体５０に突設されたストッパーピン５１（図５参照）に係合するブラケット３２及びコイル本体部１０と電動弁本体５０とを結合するブラケット３３が取付けられていて、これらのブラケット３２，３３の各基端部がコイル本体部１０の下面の軟質合成樹脂材で形成されている封止部３１による封止時にインサートされて、ブラケット３２，３３の固定が同時に行われるようになっている。図５において符号５２は第１流体通路、５３は第２流体通路を示している。
【００１９】
軟質合成樹脂材で形成されている封止部３１に形成されている電動弁本体５０の挿入用開口２３の下方から電動弁本体５０をコイル本体部１０内に挿入して電動弁を組立てる時、図２に示すように、電動弁本体５０の外周傾斜部５０ａが電動弁本体５０の挿入用開口２３の段状の内周面２３ａに密接して外函５及びステ０タ４を外部と密閉するように構成されている。
【００２０】
前記コイル本体部１０下面の軟質合成樹脂材３１による封止に先立って、コイル本体部１０の上方部及び側面部が、全体をカップ状に形成されたゴム又は塩化ビニール等の軟質合成樹脂製のカバー２０で覆われる。その後、前記のとおりリード線引出し部１３を含むコイル本体部１０の下面が、軟質合成樹脂材３１で封止されて電動弁用防水コイルが構成される。
【００２１】
カバー２０の内面下部に、複数個の内面突起２０ａが形成されていて、電動弁が組立てられた後、カバー２０がコイル本体部１０から簡単に外れるのを防止できるようになっている。さらに、カバー２０内面下部全体及び軟質合成樹脂材３１との接触面、すなわち、図４に斜線２０ｂで示す箇所に、シボが、カバー２０の金型成形時に形成されていて、カバー２０と軟質合成樹脂材で形成されている封止部３１と接着性を向上できるようになっている。
【００２２】
外函５の角部や側面の適所に開けた孔にモールド材が侵入することにより、外函５とモールド材の密着性を持たせるとともに、ブラケットを取り付ける溝も成形されている構成となっている。
【００２３】
前記のように、この実施形態のものでは、軟質合成樹脂材で形成されている封止部３１に形成されている電動弁本体５０の挿入用開口２３の下方から電動弁本体５０をコイル本体部１０内に挿入して電動弁を組立てると、コイル本部１０の内部は外気に対し密閉されるため、コイル本体部１０の内部に水が浸入したり外気と呼吸したりすることがなくなる。従って、水分によるコイルの断線や外函、ステータの腐食等がなくなり、カバー２０が結露、結氷状態下であっても、長期間の使用に耐えることができる。
【００２４】
また、カバー２０を軟質合成樹脂製としたことにより、電動弁本体５０の取り外し時に、カバー２０の上部を押して簡単に外すことが可能となる。
【００２５】
さらに、電動弁本体５０に突設されたストッパーピン５１に係合するブラケット３２及び電磁コイル部１０と電動弁本体５０とを結合するブラケット３３が、軟質合成樹脂材で形成されている封止部３１に固定されるため、電動弁の作動時や外的な振動による騒音の発生を小さくすることが可能となる。
【００２６】
そのほか、カバー２０の内面下部形成された複数個の内面突起２０ａが、電動弁の組立て後、カバー２０がコイル本体部１０から簡単に外れるのを防止するように作用する。さらに、カバー２０内面下部全体及び軟質合成樹脂材で形成されている封止部３１との接触面（図４に斜線２０ｂで示す箇所）に形成されたシボ２０ｂが、カバ−２０と軟質合成樹脂材との接着性の向上作用を奏する。
【００２７】
【発明の効果】
以上詳述したように、本発明によれば、次のような効果が得られる。
（１）軟質合成樹脂材で形成されている封止部に形成されている電動弁本体の挿入用開口の下方から電動弁本体をコイル本体部内に挿入して電動弁を組立てる際に、コイル本体部の内部を外気に対し密閉することができ、コイル本体部の内部に水が浸入したり外気と接触したりすることがなくなり、その結果、水分によるコイルの断線や腐食等がなくなり、コイル部が結露、結氷する状態下でも長期間の使用に耐える電動弁用防水コイルを得ることができる。
（２）カバーを軟質合成樹脂製としたことにより、電動弁本体の取り外し時に、カバーの上部を押して簡単に外すことが可能となる。
（３）電動弁本体に突設されたストッパーピンに係合するブラケットが、軟質合成樹脂材で形成されている封止部に固定されるため、電動弁の作動時や外的振動による騒音の発生を小さくすることができる。
【図面の簡単な説明】
【図１】本発明の１実施の形態に係る電動弁用内部コイルの断面図である。
【図２】図１のＡ部の拡大断面図である。
【図３】カバー、ブラケット取付け前の図１の電動弁用内部コイルの外観図である。
【図４】図１のカバーの断面図である。
【図５】電動弁本体の側面図である。
【図６】従来の電動弁用防水コイルの断面図である。
【符号の説明】
１ ボビン
２ コイル
３ モールド
４ ステータ
５ 外函
９ リード線
１０ コイル本体部
１３ リード線引出し部
２０ 軟質合成樹脂製のカバー
２０ａ 突起
２３ 電動弁本体５０の挿入用開口
２３ａ 挿入用開口２３の段状の内周面
３１軟質合成樹脂材で形成されている封止部
３２ ブラケット
３３ ブラケット
５０ 電動弁本体
５１ ストッパーピン
【図１】
0004519258.tif 000002
【図２】
0004519258.tif 000003
【図３】
0004519258.tif 000004
【図４】
0004519258.tif 000005
【図５】
0004519258.tif 000006
【図６】
0004519258.tif 000007